(57)【要約】【課題】高い伝達効率が得られ、しかも小型軽量化が図れる摩擦ローラ式減速機及びこれを用いた減速機ユニットを提供する。【解決手段】摩擦ローラ式減速機１００は、少なくとも一方のサンローラ素子３５，３７の軸方向外側における外側端面に対向して配置されたローディングディスク５１と、外側端面４２及びローディングディスク５１の片側端面５２のそれぞれに形成されるカム溝と、対面するカム溝同士の間に挿入される転動体と、を有するローディングカム機構５０を備える。ローディングディスク５１の片側端面５２とサンローラ素子３５の外側端面４２との間に画成され、サンローラ素子３５，３７同士が軸方向に接近する軸方向力を、充填されるトラクション油の圧力によって発生させる圧力室６１を有する。【選択図】図２
2019190544.tif 000002
【特許請求の範囲】
【請求項１】
入力軸と同心に配置されるサンローラと、前記サンローラの外周側に前記サンローラと同心に配置され、出力軸に連結されるリングローラと、前記サンローラの外周面と前記リングローラの内周面に転がり接触する複数の中間ローラと、前記サンローラ、前記リングローラ、前記中間ローラの各ローラ間の転がり接触面に作用する伝達トルクの大きさに比例した押し付け力を前記転がり接触面に付与するローディングカム機構と、を備える摩擦ローラ式減速機であって、
前記サンローラは、前記入力軸の軸方向に並設された一対のサンローラ素子を有し、前記サンローラ素子同士は、前記入力軸の軸方向に相対移動可能、且つ回転方向に固定された状態で前記入力軸にそれぞれ支持され、
前記ローディングカム機構は、少なくとも一方の前記サンローラ素子の軸方向外側における外側端面に対向して配置されたローディングディスクと、前記外側端面、及び当該外側端面に対向する前記ローディングディスクの片側端面のそれぞれに形成され、円周方向に沿って軸方向深さが変化するカム溝と、対面する前記カム溝同士の間に配置される転動体と、を備え、
前記ローディングディスクの前記片側端面と前記サンローラ素子の前記外側端面との間に画成され、前記サンローラ素子同士が前記軸方向に接近する軸方向力を、充填されるトラクション油の圧力によって発生させる圧力室を有する
摩擦ローラ式減速機。
【請求項２】
前記入力軸は、前記圧力室内の油圧を付与する油路を有する請求項１に記載の摩擦ローラ式減速機。
【請求項３】
前記少なくとも一方のサンローラ素子は、前記外側端面から軸方向外側に突出する突出円筒部が形成され、
前記圧力室は、前記突出円筒部の内周面が、前記ローディングディスクの外周面に内嵌されて形成される請求項１又は請求項２に記載の摩擦ローラ式減速機。
【請求項４】
請求項１〜請求項３のいずれか一項に記載の摩擦ローラ式減速機と、
前記圧力室にトラクション油を供給する油圧供給部と、
前記トラクション油の温度を検出する油温検出部と、
検出された前記トラクション油の温度に応じて前記圧力室内の油圧を増減させる圧力制御部と、
を備える減速機ユニット。
【請求項５】
前記圧力制御部は、検出された前記トラクション油の温度からトラクション面の限界トラクション係数を推定し、推定された推定限界トラクション係数と前記ローディングカム機構の設計トラクション係数とを比較し、推定限界トラクション係数と前記ローディングカム機構の設計トラクション係数との差が、予め定めた一定値以上となる場合に前記油圧による前記軸方向力を発生させる請求項４に記載の減速機ユニット。
【請求項６】
前記圧力制御部は、検出された前記トラクション油の温度が予め定めた特定の油温範囲を超えた場合に前記油圧による前記軸方向力を発生させる請求項４に記載の減速機ユニット。
【発明の詳細な説明】
【技術分野】
【０００１】
本発明は、摩擦ローラ式減速機及びこれを用いた減速機ユニットに関する。
【背景技術】
【０００２】
電気自動車の駆動源となる電動モータの出力軸に接続され、モータ出力軸の回転を減速して駆動輪に伝達する摩擦ローラ式減速機が知られている（特許文献１、２）。この摩擦ローラ式減速機は、図８（Ａ）に一例として示すように、モータ出力軸に接続される入力軸３０１に取り付けられたサンローラ３０３と、サンローラ３０３の外周面に転がり接触する複数の中間ローラ３０５と、サンローラ３０３と同心に配置され内周面に中間ローラ３０５が転がり接触するリングローラ３０７と、ローディングカム機構３０９と、を有する。リングローラ３０７は、減速機の出力軸に接続される。上記構成の摩擦ローラ式減速機は、サンローラ３０３が、電動モータからの回転トルクを、中間ローラ３０５を介してリングローラ３０７に伝達する。このリングローラ３０７の回転トルクが減速機の出力軸から取り出される。
【０００３】
図示例のサンローラ３０３は、一対のサンローラ素子３１１，３１３からなる。一方のサンローラ素子３１１は、入力軸３０１に固定される。他方のサンローラ素子３１３は、入力軸３０１に回転方向に関して固定され、軸方向に関して移動可能に支持される。サンローラ素子３１３のサンローラ素子３１１と反対側の背面には、ローディングディスク３１５が配置される。このローディングディスク３１５は、入力軸３０１に固定される。サンローラ素子３１３の背面と、この背面に対面するローディングディスク３１５の片側端面には、それぞれカム溝３１７，３１９が形成され、カム溝３１７，３１９の間に玉３２１が配置される。このローディングカム機構３０９により、図８（Ｂ）に示すように入力軸３０１からの回転トルクが増大すると、回転トルクの増大に伴って、サンローラ素子３１３の軸方向移動に伴う中間ローラ３０５へのトラクション面法線方向の法線力が高められる。
【０００４】
上記のローディングカム機構３０９は、サンローラ３０３の軸方向片側のみに配置されている。この構成以外にも、図９に示すように、カム溝３１７が形成されたサンローラ素子３１４に対面してローディングカム機構３０９Ａが配置され、サンローラ素子３１３に対面してローディングカム機構３０９Ｂが配置された構成、つまり、サンローラ素子３１３，３１４からなるサンローラ３０３Ａの軸方向両側にローディングカム機構３０９Ａ，３０９Ｂが配置された構成にもできる。
【先行技術文献】
【特許文献】
【０００５】
【特許文献１】特開２０１２−２０７７７８号公報
【特許文献２】特開２０１４−１９０５３７号公報
【発明の概要】
【発明が解決しようとする課題】
【０００６】
サンローラ素子３１１，３１３に軸方向力を付与する機構としては、図８（Ａ）、（Ｂ）や図９に示す入力トルクに応じて押付力を付与するローディングカム機構等の機械式カムや、バネ等による固定押付式の機構が多く採用される。固定押付式は、特に低トルク条件下で動力伝達効率が低下する。そのため、低トルク領域での効率向上のためには、機械式カムを採用することが有効である。
しかし、トラクション油の限界トラクション係数（グロススリップ発生に対する閾値）は温度依存性があり、常温状態と比較して、例えば１００℃を超える高温や、例えば０℃未満の低温では特に限界トラクション係数が低下する。機械式カムの場合、いかなる運転状態でもグロススリップを発生させないために、想定される運転状態下での最低の限界トラクション係数に対し、相当の余裕を設けて、設計トラクション係数を設定するのが一般的である。その場合、常温状態では限界トラクション係数と設計トラクション係数との差が大きくなり、トラクション面の法線力が過剰な状態となる。このため、動力伝達効率向上や、減速機の小型軽量化にはなお改善の余地がある。
【０００７】
一方、いかなる運転状態でも限界トラクション係数に対し十分かつ一定の余裕をもって法線力を付与できる手段として、油圧式のローディングデバイスがある。
しかしながら、油圧式のローディングデバイスは、油圧変化の指令に対して応答性が悪いという不利がある。モータのトルク変化は、トルク変化指令に対し反応が極めて速い。例えば、指令入力からトルクの立ち上がりまでの反応速度は１０ｍｓである。機械式カムは応答速度が極めて速いため、モータのトルク変化に対して十分追従して推力を発生できる。しかし、油圧式のローディングデバイスは、このトルク変動速度に十分追従できない可能性があり、グロススリップ発生の懸念が残る。
【０００８】
そこで本発明は、高い伝達効率が得られ、しかも小型軽量化が図れる摩擦ローラ式減速機及びこれを用いた減速機ユニットの提供を目的とする。
【課題を解決するための手段】
【０００９】
本発明は、下記構成からなる。
（１）  入力軸と同心に配置されるサンローラと、前記サンローラの外周側に前記サンローラと同心に配置され、出力軸に連結されるリングローラと、前記サンローラの外周面と前記リングローラの内周面に転がり接触する複数の中間ローラと、前記サンローラ、前記リングローラ、前記中間ローラの各ローラ間の転がり接触面に作用する伝達トルクの大きさに比例した押し付け力を前記転がり接触面に付与するローディングカム機構と、を備える摩擦ローラ式減速機であって、
前記サンローラは、前記入力軸の軸方向に並設された一対のサンローラ素子を有し、前記サンローラ素子同士は、前記入力軸の軸方向に相対移動可能、且つ回転方向に固定された状態で前記入力軸にそれぞれ支持され、
前記ローディングカム機構は、少なくとも一方の前記サンローラ素子の軸方向外側における外側端面に対向して配置されたローディングディスクと、前記外側端面、及び当該外側端面に対向する前記ローディングディスクの片側端面のそれぞれに形成され、円周方向に沿って軸方向深さが変化するカム溝と、対面する前記カム溝同士の間に配置される転動体と、を備え、
前記ローディングディスクの前記片側端面と前記サンローラ素子の前記外側端面との間に画成され、前記サンローラ素子同士が前記軸方向に接近する軸方向力を、充填されるトラクション油の圧力によって発生させる圧力室を有する
摩擦ローラ式減速機。
（２）  （１）に記載の摩擦ローラ式減速機と、
前記圧力室にトラクション油を供給する油圧供給部と、
前記トラクション油の温度を検出する油温検出部と、
検出された前記トラクション油の温度に応じて前記圧力室内の油圧を増減させる圧力制御部と、
を備える減速機ユニット。
【発明の効果】
【００１０】
本発明によれば、高い動力伝達効率が得られ、しかも減速機自体の小型軽量化を図ることができる。
【図面の簡単な説明】
【００１１】
【図１】本発明の摩擦ローラ式減速機の一部断面斜視図である。
【図２】摩擦ローラ式減速機の要部拡大断面図である。
【図３】図２のサンローラ素子のＡ−Ａ線断面図である。
【図４】（Ａ）、（Ｂ）はサンローラ素子の軸方向位置を圧力室内の油圧によって変更する様子を示す説明図である。
【図５】駆動ローラと従動ローラに作用する法線力と接線力との関係を示す説明図である。
【図６】トラクション油の温度に対するトラクション係数の特性カーブを示すグラフである。
【図７】減速機ユニットの概略的なブロック構成図である。
【図８】（Ａ），（Ｂ）は従来のローディングカム機構の模式的な動作説明図である。
【図９】従来の他のローディングカム機構の模式的な動作説明図である。
【発明を実施するための形態】
【００１２】
以下、本発明の実施形態について、図面を参照して詳細に説明する。
＜摩擦ローラ式減速機の基本構成＞
図１は摩擦ローラ式減速機の一部断面斜視図である。
摩擦ローラ式減速機１００は、動力を発生するモータ（不図示）に接続される入力軸１１と、出力軸１３とが同心に配置され、入力軸１１から入力される回転動力を出力軸１３に減速しながら伝達する。この摩擦ローラ式減速機１００は、入力軸１１と同軸上に配置されるサンローラ１５と、リングローラ１７と、複数の中間ローラ１９とを備える。リングローラ１７は、リングローラホルダ２１によって出力軸１３と連結される。また、中間ローラ１９は、サンローラの外周面とリングローラの内周面に転がり接触し、揺動ホルダ２５とキャリア２７を介してハウジング２０に支持される。
【００１３】
中間ローラ１９は、中間ローラ１９の中心軸上に延設される一対の支持軸２２が、それぞれ転がり軸受２３を介して揺動ホルダ２５に支持される。揺動ホルダ２５は、詳細な説明を省略するが、支持軸２２を入力軸１１と平行にした状態でキャリア２７に支持される。キャリア２７は、上記構成の中間ローラ１９を支持する複数の揺動ホルダ２５を、円周方向に沿った配置位置で支持する。
【００１４】
入力軸１１は、その軸心に沿ってトラクション油が供給される油路３１が形成される。入力軸１１のハウジング２０側における一端側には油圧供給部３３が接続される。油圧供給部３３は、油路３１内にトラクション油を供給する。
【００１５】
＜摩擦ローラ式減速機の各部の詳細＞
次に、摩擦ローラ式減速機１００の各部の構成を順次説明する。
図２は摩擦ローラ式減速機の要部拡大断面図である。
サンローラ１５は、入力軸１１の中心線Ａｘに沿った方向（以下、軸方向と称する）に並設された一対のサンローラ素子３５，３７を有する。サンローラ素子３５，３７は、軸方向に対面し合う対向側端面４１，４３の間に隙間を設けた状態で、互いに入力軸１１と同心に配置される。
【００１６】
サンローラ素子３５，３７の転がり接触面３５ａ，３７ａは、サンローラ素子同士が互いに対向する対向側端面４１，４３から軸方向反対側の外側端面４５，４７に向かって、入力軸１１の中心線Ａｘまでの半径距離が長くなる傾斜面にされている。また、中間ローラ１９の転がり接触面１９ａは、中間ローラ１９の外周面の軸方向中央部から軸方向両端に向かうに従ってそれぞれ半径距離が小さくなる方向に傾斜した傾斜面として形成される。
【００１７】
図１に示すリングローラ１７の転がり接触面１７ａは、軸方向と平行な円筒面形状である。なお、リングローラ１７の転がり接触面１７ａは、凹曲面、特に凹球面の一部として形成してもよい。その場合、中間ローラ１９の外周面の軸断面形状は、凹球面の曲率と同じかそれより小さい曲率の凸球面の一部として形成される。
【００１８】
サンローラ１５の内周面と、入力軸１１の外周面との間には、円筒状の中間シャフト１２が配置される。
【００１９】
ここで、図３に図２のサンローラ素子３５のＡ−Ａ線断面図を示す。なお、図３は図２のサンローラ素子３７のＢ−Ｂ線断面図と同一であるので、ここではサンローラ素子３５について説明する。
【００２０】
図２、図３に示すように、中間シャフト１２は、軸方向中央部の内周面及び外周面にそれぞれスプライン１２ｓを有する。サンローラ素子３５は、軸方向内側の内周面３５ｂにスプライン溝を有し、入力軸１１は、中間シャフト１２の内周面側のスプライン１２ｓに対面する外周面３９にスプライン溝を有する。サンローラ素子３５は、これらスプライン溝の係合によって、回転方向に固定され、かつ軸方向へスライド可能な状態で入力軸１１に支持される。これにより、入力軸１１からの回転トルクは、スプライン溝によってサンローラ素子３５に伝達される。また、サンローラ素子３７についても同様に、スプライン溝の係合により回転トルクが伝達される。そして、サンローラ素子３５，３７の対向側端面４１，４３側の内周面と、これらに対応する入力軸１１の外周面には、径方向に突起する不図示のインロー部が形成される。これらスプライン溝により確実な動力伝達が行われ、インロー部によってサンローラ素子３５，３７、中間シャフト１２、及び入力軸１１の高精度な同軸が確保される。
【００２１】
図２に示すように、サンローラ素子３５のサンローラ素子３７とは反対側に、ローディングカム機構５０が設けられる。ローディングカム機構５０は、サンローラ素子３５の外側端面４２に対面して配置されたローディングディスク５１を有する。このローディングディスク５１は、サンローラ素子３５へ向かう軸方向移動が可能に、入力軸１１に支持される。サンローラ素子３５の外側端面４２と、この外側端面４５に対面するローディングディスク５１の片側端面５２には、前述の図８（Ａ），（Ｂ）に示す構成と同様の、円周方向に沿って軸方向深さが変化するカム溝５３，５４がそれぞれ形成される。カム溝５３，５４の間には、転動体となる玉５５が配置される。このローディングカム機構５０により、入力軸１１からの回転トルクが増大するほど、サンローラ素子３５の軸方向移動に伴う中間ローラ１９へのトラクション面法線方向の法線力が高められる。
【００２２】
入力軸１１にはローディングディスク５１に対面する大径部５６が設けられる。この大径部５６の側面とローディングディスク５１との間には、予圧ばね５７が配置される。予圧ばね５７は、皿バネからなり、入力軸１１の回転によらずにローディングディスク５１をサンローラ素子３５に向けて付勢する。この予圧ばね５７によって、サンローラ素子３５の中間ローラ１９に対するトラクション面の法線力が最低限確保される。
【００２３】
入力軸１１には、サンローラ素子３７の軸方向外側の位置を規制する転がり軸受１４が設けられる。転がり軸受１４は止め輪４６によって軸方向に位置決めされる。また、入力軸１１には転がり軸受１４に潤滑油を供給する潤滑油供給油路４４が中心線Ａｘに沿って形成される。潤滑油供給油路４４には転がり軸受１４に向かう分岐油路４８が接続される。
【００２４】
サンローラ素子３５は、外側端面４２の外周部から軸方向外側に突出する突出円筒部５８が形成される。突出円筒部５８の内周面５８ａには、ローディングディスク５１の片側端面５２側の外周面５１ａが内嵌される。突出円筒部５８の内周面５８ａとローディングディスク５１の片側端面５２側の外周面５１ａは、それぞれ滑らかな円筒面で形成され、軸方向への円滑な相対移動が可能となっている。
【００２５】
サンローラ素子３５の外側端面４２と、ローディングディスク５１の片側端面５２と、突出円筒部５８の内周面５８ａと、中間シャフト１２の端面１２ａと、入力軸１１の外周面とで囲まれる円環状の空間は、サンローラ素子３５をサンローラ素子３７に軸方向に沿って接近させる軸方向力を発生させる圧力室６１となる。
【００２６】
前述した弾性部材としての予圧ばね５７は、サンローラ素子３５をサンローラ素子３７に向けて接近させる方向に付勢する。また、予圧ばね５７は、後述するトラクション面の面圧がガラス遷移圧力を超えるのに必要な最低限の力をサンローラ素子３５，３７に付与する。ここで、ガラス遷移圧力とは、加圧流体のせん断応力が急激に上昇する圧力である。一対のローラ間の動力をトラクション面で伝達するためには、ローラ間に存在するトラクション油の圧力をガラス遷移圧力以上にする必要がある。一般に、このガラス遷移圧力は、ローラ間の接触点平均圧力で、概ね０．８ＧＰａ以上となる。
【００２７】
この圧力室６１は、入力軸１１に形成された径方向に延びる分岐油路６２を通じて、油路３１と接続される。
【００２８】
圧力室６１には、油路３１と分岐油路６２を通じて、図１に示す油圧供給部３３から供給されるトラクション油が充填される。これにより、圧力室６１内の油圧が増減制御可能となる。圧力室６１は、オイルシール等の複数のシール部材６３によって圧力室外部と仕切られており、圧力付与時におけるトラクション油の漏れが防止される。なお、トラクション油は、ローディングディスク５１とサンローラ素子３５との間に潤滑油としての役割も果たし、トラクション油を供給することで、カム溝５３，５４と玉５５との間のフレッチングを防止できる。なお、ローディングカム機構５０には、玉５５の遠心力の影響を排除するため、複数の玉５５を保持して玉５５の径方向移動を規制する保持器を設置してもよい。
【００２９】
図４（Ａ），（Ｂ）はサンローラ素子３５の軸方向位置を圧力室６１内の油圧によって変更する様子を示す説明図である。
図４（Ａ）に示すように、圧力室６１に充填されるトラクション油の圧力が低い場合には、サンローラ素子３５には、予圧ばね５７の弾性力と、ローディングカム機構５０による入力軸１１からの回転トルクに応じた付勢力とによる軸方向力が作用する。そのため、サンローラ素子３５，３７の転がり接触面３５ａ，３７ａと中間ローラ１９の転がり接触面１９ａにそれぞれ作用する法線力は、上記の軸方向力に応じた力にされる。
【００３０】
一方、図４（Ｂ）に示すように、油圧供給部３３（図１参照）が油路３１と分岐油路６２を通じて圧力室６１内の油圧を増加させると、サンローラ素子３５をサンローラ素子３７に向けて軸方向に沿って接近させる軸方向力が発生する。即ち、予圧ばね５７の弾性力と、ローディングカム機構５０による入力軸１１からの回転トルクに応じた付勢力とに加えて、油圧による軸方向力が発生する。これらを合計した軸方向力Ｆによってサンローラ１５、中間ローラ１９、リングローラ１７のトラクション面に作用する法線力が増加する。
【００３１】
つまり、サンローラ素子３５の図中右側への軸方向移動により、傾斜面からなる転がり中間ローラ１９の転がり接触面１９ａ及びサンローラ素子３５，３７の転がり接触面３５ａ，３７ａの当接面における法線力が増加した状態となる。
【００３２】
油圧供給部３３によって圧力室６１内の油圧を減少させると、再び図４（Ａ）に示すように、サンローラ素子３５がサンローラ素子３７から離間する方向に戻り、各転がり接触面１９ａ，３５ａ，３７ａにおける法線力が減少する。
【００３３】
この圧力室６１内の油圧を増減調整することで、各転がり接触面１９ａ，３５ａ，３７ａの法線力が増減し、これにより、各転がり接触面１９ａ，３５ａ，３７ａにおけるトラクション係数を、限界トラクション係数により近づけることができる。
【００３４】
上記構成の摩擦ローラ式減速機１００によれば、圧力室６１に供給する油圧力を、動力を発生するモータ（不図示）からの伝達動力、摩擦ローラ式減速機１００が伝達する伝達トルク、軸の回転速度、トラクション油の温度等、各種の運転条件に応じて適宜調整できる。このため、各ローラのトラクション係数を、動的に限界トラクション係数に近づけることができる。その結果、各ローラに過剰な法線力が生じにくくなり、動力伝達効率の向上、及び減速機の小型軽量化と、耐久寿命の向上が図れる。
【００３５】
また、上記構成の摩擦ローラ式減速機１００は、油圧供給部３３からトラクション油の圧力が圧力室６１に供給されることで、一対のサンローラ素子３５，３７同士を軸方向に関して近づける方向の軸方向力を発生できる。つまり、サンローラ素子３５，３７を近づける軸方向力を圧力室６１からも発生させることで、従前から用いられていたローディングカム機構（図８（Ａ），（Ｂ）及び図９参照）による軸方向力を修正できる。
【００３６】
＜減速機ユニットの構成と作用＞
次に、上記構成のサンローラ素子３５を、圧力室６１からの軸方向力により軸方向に駆動し、トラクション面の法線方向の法線力を増減させる減速機ユニットの構成とその作用について説明する。
【００３７】
一般に、本構成の摩擦ローラ式減速機１００のようなトラクションドライブにおいては、トラクション面にグロススリップが発生することは、動力伝達面の損傷を伴うため回避する必要がある。トラクションドライブに使用されるトラクション油は、動力伝達点の温度、伝達トルク等に依存して、伝達可能なトルクの大きさが決定される。
【００３８】
ここで、伝達可能な最大トルクは、トルク作用点までの半径距離によらない接線力として考えると、下記（１）式で表現される。
【００３９】
【数１】
2019190544.tif 000003
【００４０】
Ｆtmax：伝達可能な最大接線力
Ｆc：法線力
μmax：最大トラクション係数
【００４１】
図５は駆動ローラと従動ローラに作用する法線力と接線力との関係を示す説明図である。
駆動ローラ７１から従動ローラ７３へ負荷される法線力Ｆａは、その反力として従動ローラ７３から法線力Ｆｃを生じさせる。この法線力Ｆｃに応じたトラクション面の接線力Ｆｔは、トラクション係数μと法線力Ｆｃの積として求められる。そこで、各ローラを駆動制御する場合には、伝達したいトルク（接線力Ｆｔ）に対して、運転時のトラクション係数μが限界トラクション係数μｍａｘを超えないように法線力Ｆｃを調整する。しかし、限界トラクション係数μｍａｘは、上記したように、動力伝達点の温度、伝達トルク等の運転条件によって変動する。
【００４２】
図６はトラクション油の温度に対するトラクション係数の特性カーブを示すグラフである。図中に実線で示すように、限界トラクション係数はトラクション油の温度に応じて増減する。従前のローディングカム機構のような機械式ローディングデバイスにおいては、トラクション係数が常に一定値となるため、トラクション油の温度が変化しても、設計トラクション係数が限界トラクション係数を超えないように設定される（破線参照）。しかし、トラクション油の温度によっては、設計トラクション係数と限界トラクション係数との差Δμが特に大きくなる領域がある。差Δμが大きい場合、法線力Ｆｃを過剰に発生させることになり、動力伝達効率の低下や耐久寿命の低下を招くことになる。
【００４３】
そこで、本構成の摩擦ローラ式減速機１００は、運転条件の変動に応じて、圧力室６１からサンローラ素子３５への軸方向力を発生させ、法線力Ｆｃの増減調整を可能としている。そのため、一点鎖線で示すように調整後（修正後）のトラクション係数を、常に限界トラクション係数μｍａｘ近くに設定でき、動力伝達効率の向上や耐久寿命の向上に寄与できる。
【００４４】
より詳しくは、本構成の摩擦ローラ式減速機１００は、常温時（例えば０℃〜１００℃の範囲）は機械式ローディングデバイスで最低限必要な押付力を付与して一定のトラクション係数μｃを得、高温時（例えば１００℃を超える温度）と低温時（例えば０℃未満の温度）では、圧力室６１からサンローラ素子３５への軸方向力を発生させてトラクション係数を低減させ（低減されたトラクション係数をμ１，μ２で示す）、グロススリップの発生を抑制すると共に，特に常温領域での効率向上を実現する。上記の常温限界（高温、低温）の各温度は、油種、運転条件、装置構成に応じて予め定めておけばよい。
【００４５】
次に、圧力室６１内の油圧を制御する減速機ユニットの概略構成とその作用について説明する。
図７は減速機ユニットの概略的なブロック構成図である。
減速機ユニット２００は、前述した油圧供給部３３を含む摩擦ローラ式減速機１００と、トラクション油の温度を検出する油温センサ７５と、コントローラ７９と、記憶部８１と、を備える。
【００４６】
油圧供給部３３は、図示しない油圧ポンプに接続され、コントローラ７９からの指令に基づいて、図１に示す入力軸１１に形成された油路３１にトラクション油を供給する。これにより、圧力室６１内の油圧が増減駆動される。なお、油圧ポンプは、電動式であってもよく、ポンプ軸と摩擦ローラ式減速機１００のいずれかの回転軸とを機械的に結合した機械式であってもよい。
【００４７】
油温センサ７５は、図示はしないが、図１に示すサンローラ１５の近傍に配置され、トラクション面付近のトラクション油の温度を検出する。油温センサ７５は、好ましくは、サンローラ素子３５，３７の転がり接触面３５ａ，３７ａに近い外表面に配置される。また、油温センサ７５は中間ローラ１９側に配置してもよい。
【００４８】
油温センサ７５からの出力信号は、コントローラ７９に入力される。また、コントローラ７９には、摩擦ローラ式減速機１００に接続される不図示のモータの駆動状況を表す信号（例えば、回転速度信号、モータ駆動電流やモータ駆動電圧を表す駆動信号等）の伝達トルク情報が入力されてもよい。油温センサ７５や各種の伝達トルク情報を出力する情報出力手段は、摩擦ローラ式減速機１００の運転条件を検出する運転条件検出部として機能する。
【００４９】
なお、トラクション面の面圧を、トラクション油の油圧を測定する適宜な油圧測定手段から推定し、推定されたトラクション面の面圧を、上記した運転条件の一つして扱うことも可能である。
【００５０】
コントローラ７９に接続される記憶部８１は、検出された運転条件に対応する圧力室６１（図２参照）内の油圧設定値が登録された駆動テーブルを記憶する。コントローラ７９は、入力された運転条件に基づいて記憶部８１の駆動テーブルを参照して、限界トラクション係数に近いトラクション係数が得られる油圧設定値を求める。コントローラ７９は、圧力室６１内の油圧が、求めた油圧設定値となるように、サンローラ素子３５を軸方向に駆動させる駆動信号を油圧供給部３３に出力する。
【００５１】
油圧供給部３３は、コントローラ７９からの駆動信号に基づき、図示しない油圧モータを駆動して、トラクション油を圧力室６１に供給する。これにより、圧力室６１内の油圧が所望の圧力に調整され、トラクション面の法線力Ｆｃが過剰にならず、且つ、限界トラクション係数を超えない範囲に設定される。上記の油圧供給部３３とコントローラ７９は、圧力室６１内の油圧を増減させる圧力制御部として機能する。
【００５２】
本構成の減速機ユニット２００によれば、経時的に変動する運転条件に応じて、限界トラクション係数を超えず、且つ、限界トラクション係数にできるだけ近いトラクション係数となるように、圧力室６１内の油圧を調整できる。これにより、摩擦ローラ式減速機の動力伝達効率を向上させ、小型化軽量化が図れる。
【００５３】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
サンローラと、入力軸及び中間シャフトとの間の動力伝達手段は、例えば、角スプライン、ボールスプライン、インボリュートスプライン等の各種のスプラインであってもよい。これ以外にも、キーとキー溝等、入力軸及び中間シャフトとサンローラとの同軸を確保しつつ、動力伝達も可能で、且つ軸方向の相対移動を妨げないものであれば、任意の手段が適用可能である。
【００５４】
また、予圧を付与する弾性部材は、皿バネ以外にもコイルスプリング等、軸方向に予圧力を付与できる手段であれば適用可能である。なお、入力軸は高速回転するため、弾性部材の配置によって動バランスを悪化させないことが好ましい。例えば、皿バネの場合、皿バネの内径部を、入力軸に対する案内部として機能させる構成としてもよい。
【００５５】
更に、ローディングカム機構と圧力室は、サンローラの軸方向片側に設ける構成以外にも、サンローラの軸方向両側に設ける構成としてもよい。
【００５６】
以上の通り、本明細書には次の事項が開示されている。
（１）  入力軸と同心に配置されるサンローラと、前記サンローラの外周側に前記サンローラと同心に配置され、出力軸に連結されるリングローラと、前記サンローラの外周面と前記リングローラの内周面に転がり接触する複数の中間ローラと、前記サンローラ、前記リングローラ、前記中間ローラの各ローラ間の転がり接触面に作用する伝達トルクの大きさに比例した押し付け力を前記転がり接触面に付与するローディングカム機構と、を備える摩擦ローラ式減速機であって、
前記サンローラは、前記入力軸の軸方向に並設された一対のサンローラ素子を有し、前記サンローラ素子同士は、前記入力軸の軸方向に相対移動可能、且つ回転方向に固定された状態で前記入力軸にそれぞれ支持され、
前記ローディングカム機構は、少なくとも一方の前記サンローラ素子の軸方向外側における外側端面に対向して配置されたローディングディスクと、前記外側端面、及び当該外側端面に対向する前記ローディングディスクの片側端面のそれぞれに形成され、円周方向に沿って軸方向深さが変化するカム溝と、対面する前記カム溝同士の間に配置される転動体と、を備え、
前記ローディングディスクの前記片側端面と前記サンローラ素子の前記外側端面との間に画成され、前記サンローラ素子同士が前記軸方向に接近する軸方向力を、充填されるトラクション油の圧力によって発生させる圧力室を有する
摩擦ローラ式減速機。
この摩擦ローラ式減速機によれば、少なくとも一方のサンローラ素子の外側端面と、この外側端面に対面するローディングディスクとの間に形成された圧力室の油圧を増減することで、少なくとも一方のサンローラ素子への軸方向力を増減できる。これにより、サンローラ素子、中間ローラ、リングローラの各転がり接触面に作用する法線力を変更でき、運転時のトラクション係数を限界トラクション係数に近づけることができる。
【００５７】
（２）  前記入力軸は、前記圧力室内の油圧を付与する油路を有する（１）に記載の摩擦ローラ式減速機。
この摩擦ローラ式減速機によれば、入力軸を通じて圧力室に油圧が付与されるため、油圧力を供給する油路の煩雑化か避けられる。
【００５８】
（３）  前記少なくとも一方のサンローラ素子は、前記外側端面から軸方向外側に突出する突出円筒部が形成され、
前記圧力室は、前記突出円筒部の内周面が、前記ローディングディスクの外周面に内嵌されて形成される（１）又は（２）に記載の摩擦ローラ式減速機。
この摩擦ローラ式減速機によれば、サンローラ素子とローディングディスクとによって圧力室が画成されるため、部品点数を削減できる。
【００５９】
（４）  （１）〜（３）のいずれか一つに記載の摩擦ローラ式減速機と、
前記圧力室にトラクション油を供給する油圧供給部と、
前記トラクション油の温度を検出する油温検出部と、
検出された前記トラクション油の温度に応じて前記圧力室内の油圧を増減させる圧力制御部と、
を備える減速機ユニット。
この減速機ユニットによれば、トラクション油の温度変化によって限界トラクション係数が変化しても、この限界トラクション係数に運転時のトラクション係数を近づけることができる。これにより、動力伝達効率と耐久寿命とを共に向上できる。
また、油圧供給部は、油圧式単独のローディングデバイスのものと比較して、ローディングカム機構の発生推力を補完すれば足りるため、発生油圧を低減できる。そのため、油圧供給部を小型化でき、更には、ポンプロスの低減により、動力伝達効率を向上できる。
【００６０】
（５）  前記圧力制御部は、検出された前記トラクション油の温度からトラクション面の限界トラクション係数を推定し、推定された推定限界トラクション係数と前記ローディングカム機構の設計トラクション係数とを比較し、推定限界トラクション係数と前記ローディングカム機構の設計トラクション係数との差が、予め定めた一定値以上となる場合に前記油圧による前記軸方向力を発生させる（４）に記載の減速機ユニット。
この減速機ユニットによれば、推定限界トラクション係数とローディングカム機構の設計トラクション係数との差に応じて、適正なトラクション係数に調整できる。なお、限界トラクション係数の推定は、モータトルク、モータ回転数と、それから推定されるトラクション面発熱量、及び、モータトルクから計算されるトラクション面の接触面圧も考慮して推定することができる。
【００６１】
（６）  前記圧力制御部は、検出された前記トラクション油の温度が予め定めた特定の油温範囲を超えた場合に前記油圧による前記軸方向力を発生させる（４）に記載の減速機ユニット。
この減速機ユニットによれば、トラクション油の油温が特定の油温範囲より低い場合と高い場合に油圧力を発生させ、特定の温度範囲（例えば常温の範囲）では、機械式のローディングデバイスで最低限必要な押付力を付与して一定のトラクション係数を得ることができる。そのため、特定の常温領域での動力伝達効率を向上できる。
また、トラクション油の油温が特定の温度範囲外となる低温時や高温時に、油圧力を発生させる場合は、油圧の立ち上がりの遅れによる瞬間的な推力不足に陥る可能性もある。その場合には、運転手のアクセル操作又はブレーキ操作を起因とするトルク変化に対し、操作に対するトルクの変化を意図的に遅らせる制御を行うことで、グロススリップを防止できる。つまり、運転手のアクセル、ブレーキ操作に対する、モータの駆動と回生の反応速度を意図的に遅らせる制御を行うことで、グロススリップの発生を防止できる。
これにより、常に動力伝達効率を向上できると共に、トラクション油の特定の温度範囲を超えた場合のグロススリップ発生を抑制できる。
【符号の説明】
【００６２】
１１  入力軸
１３  出力軸
１５  サンローラ
１７  リングローラ
１９  中間ローラ
１９ａ  転がり接触面
３１  油路
３３  油圧供給部
３５，３７  サンローラ素子
３５ａ，３７ａ  転がり接触面
４１  対向側端面
４２  外側端面
５８  突出円筒部
６１  圧力室
７５  油温センサ
１００  摩擦ローラ式減速機
２００  減速機ユニット
【図１】
2019190544.tif 000004
【図２】
2019190544.tif 000005
【図３】
2019190544.tif 000006
【図４】
2019190544.tif 000007
【図５】
2019190544.tif 000008
【図６】
2019190544.tif 000009
【図７】
2019190544.tif 000010
【図８】
2019190544.tif 000011
【図９】
2019190544.tif 000012